(57)【特許請求の範囲】
【請求項１】
エスカレーターの主枠の一対の側枠の各々の上面に下端部が接触し、前記一対の側枠の各々の上面から上方に立ち上がり、前記主枠の左右方向の中心部をまたぐフレームと、
前記フレームの前部に設けられ、前記フレームを前記主枠の上部から前記主枠の上面に沿って牽引する牽引装置が取り付けられる第１取付け部と、
前記フレームの上端部に設けられ、前記フレームの下端部より下方から運搬物を引き上げる引上げ装置が取り付けられる第２取付け部と、
ガイド部と、
を備え、
前記フレームは、
前記フレームの左右の各々の下端部に設けられ、前記一対の側枠のいずれかの上面に接触する一対のローラーユニット
を備え、
前記一対のローラーユニットの各々は、
各々の回転軸が左右方向に向けられ、前後方向に並ぶ一対のローラー
を備え、
前記ガイド部は、前記フレームの下端部の側面において前記一対のローラーのいずれかに隣接して設けられ、当該ローラーの下端部より下方に延び、前記一対の側枠のうち当該ローラーが接触している側枠の側面に沿う
エスカレーターの機器の運搬装置。
【請求項２】
前記フレームは、
前記一対の側枠の各々の上面に各々の下端部が接触する一対のパネルと、
前記第２取付け部が設けられ、前記一対のパネルの各々の上端部にわたって分解可能に取り付けられるブリッジと、
を備える
請求項１に記載のエスカレーターの機器の運搬装置。
【請求項３】
前記一対のパネルの各々は、
前記一対の側枠のいずれかの上面に対向する下辺と、
前記下辺より短く、前記ブリッジが取り付けられる上辺と、
を有する
請求項２に記載のエスカレーターの機器の運搬装置。
【請求項４】
前記一対のパネルの各々について、前記下辺の後端は、前記上辺の後端より後方に配置される
請求項３に記載のエスカレーターの機器の運搬装置。
【請求項５】
前記第１取付け部は、前記フレームの下部に設けられる
請求項１から請求項４のいずれか一項に記載のエスカレーターの機器の運搬装置。
【請求項６】
前記ガイド部は、左右方向を向く回転軸を上端部に有し、前記回転軸の回りに回転可能に支持される
請求項１から請求項５のいずれか一項に記載のエスカレーターの機器の運搬装置。
【請求項７】
前記一対の側枠の各々の上面に設けられ、当該上面において上方に突出する干渉物を前後方向にまたぐ一対のスロープ
を備える請求項１から請求項６のいずれか一項に記載のエスカレーターの機器の運搬装置。
【請求項８】
前記一対のスロープの各々は、前記主枠の下側水平部から傾斜部にかけて配置される
請求項７に記載のエスカレーターの機器の運搬装置。
【請求項９】
前記一対のスロープの各々の傾斜は、前記主枠の傾斜部の傾斜を超えない
請求項７または請求項８に記載のエスカレーターの機器の運搬装置。
【請求項１０】
前記一対のスロープの各々は、前記一対の側枠の各々の上面から突出する干渉物を受け入れる空隙を当該上面に対向する部分に有する
請求項７から請求項９のいずれか一項に記載のエスカレーターの機器の運搬装置。
【発明の詳細な説明】
【技術分野】
【０００１】
本発明は、エスカレーターの機器の運搬装置に関する。
【背景技術】
【０００２】
特許文献１は、エスカレーターの更新に用いられる搬送台車の例を開示する。搬送台車は、運搬物を載せる。搬送台車は、主枠の上階側から引き上げられる。搬送台車は、主枠の内部に設けられるガイドレールの上を走行する。
【先行技術文献】
【特許文献】
【０００３】
【特許文献１】日本特開２０１５−８１０号公報
【発明の概要】
【発明が解決しようとする課題】
【０００４】
しかしながら、特許文献１の搬送台車は、荷積みまたは荷降ろしのための装置を持たない。このため、運搬物が主枠の傾斜部に設けられる機器である場合に、荷積みまたは荷降ろしに手間がかかる。このため、当該運搬物の運搬に手間がかかる。【０００５】
本発明は、このような課題を解決するためになされた。本発明の目的は、運搬物が主枠の傾斜部に設けられる機器である場合にも運搬しやすいエスカレーターの機器の運搬装置を提供することである。
【課題を解決するための手段】
【０００６】
本発明に係るエスカレーターの機器の運搬装置は、エスカレーターの主枠の一対の側枠の各々の上面に下端部が接触し、一対の側枠の各々の上面から上方に立ち上がり、主枠の左右方向の中心部をまたぐフレームと、フレームの前部に設けられ、フレームを主枠の上部から主枠の上面に沿って牽引する牽引装置が取り付けられる第１取付け部と、フレームの上端部に設けられ、フレームの下端部より下方から運搬物を引き上げる引上げ装置が取り付けられる第２取付け部と、ガイド部と、を備え、フレームは、フレームの左右の各々の下端部に設けられ、一対の側枠のいずれかの上面に接触する一対のローラーユニットを備え、一対のローラーユニットの各々は、各々の回転軸が左右方向に向けられ、前後方向に並ぶ一対のローラーを備え、ガイド部は、フレームの下端部の側面において一対のローラーのいずれかに隣接して設けられ、当該ローラーの下端部より下方に延び、一対の側枠のうち当該ローラーが接触している側枠の側面に沿う。
【発明の効果】
【０００７】
本発明によれば、運搬装置は、フレームと、第１取付け部と、第２取付け部と、を備える。フレームは、エスカレーターの主枠の一対の側枠の各々の上面に下端部が接触する。フレームは、一対の側枠の各々の上面から上方に立ち上がる。フレームは、主枠の左右方向の中心部をまたぐ。第１取付け部は、フレームの前部に設けられる。第１取付け部は、牽引装置が取り付けられる部分である。牽引装置は、フレームを主枠の上部から主枠の上面に沿って牽引する。第２取付け部は、フレームの上端部に設けられる。第２取付け部は、引上げ装置が取り付けられる部分である。引上げ装置は、フレームの下端部より下方から運搬物を引き上げる。これにより、運搬物が主枠の傾斜部に設けられる機器である場合にも、当該運搬物は運搬装置によって運搬しやすくなる。
【図面の簡単な説明】
【０００８】
【図１】実施の形態１に係るエスカレーターの主枠の側面図である。
【図２】実施の形態１に係る運搬装置の後面斜視図である。
【図３】実施の形態１に係る運搬装置の上面図である。
【図４】実施の形態１に係る運搬装置の側面図である。
【図５】実施の形態１に係る運搬装置の後面図である。
【図６】実施の形態１に係るエスカレーターの主枠の要部拡大図である。
【図７】実施の形態１に係るエスカレーターの主枠の側面図である。
【図８】実施の形態１に係るエスカレーターの主枠の側面図である。
【図９】実施の形態１に係るエスカレーターの主枠の側面図である。
【図１０】実施の形態２に係る運搬装置の要部拡大図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエスカレーターの主枠の側面図である。
【００１１】
エスカレーターの主枠１は、建築物の上階と下階との間に掛け渡される。主枠１は、上階側に上側水平部２ａを有する。上側水平部２ａの上面は、水平である。主枠１は、下階側に下側水平部２ｂを有する。下側水平部２ｂの上面は、水平である。主枠１は、上側水平部２ａと下側水平部２ｂとの間に傾斜部３を有する。傾斜部３の上面は、一定の傾斜角で水平面から傾く。主枠１は、一対の側枠４と、下枠５と、を備える。一対の側枠４の一方は、主枠１の左側面をなす。一対の側枠４の他方は、主枠１の右側面をなす。下枠５は、主枠１の下面をなす。下枠５は、一対の側枠４の各々に接続される。
【００１２】
エスカレーターを更新する場合に、既設の主枠を残して他の機器を更新することがある。更新される機器は、例えば駆動装置である。
【００１３】
ここで、駆動装置は、エスカレーターの通常運転時に駆動力を発生させる装置である。エスカレーターの通常運転時において、駆動装置は、発生させた駆動力によって、複数のステップを循環移動させる。利用者は、循環移動する複数のステップのいずれかに搭乗することで上階と下階との間を移動する。
【００１４】
この例において、更新される機器は、設置位置６に設けられる。設置位置６は、傾斜部３の中間部である。当該機器は、図１に図示されない運搬装置７によって、下階から設置位置６まで運搬される。
【００１５】
続いて、図２から図６を用いて、運搬装置７の構成を説明する。
図２は、実施の形態１に係る運搬装置の後面斜視図である。
【００１６】
運搬装置７は、ドーリー８を備える。ドーリー８は、フレーム９を備える。
【００１７】
フレーム９は、例えばアルミニウム合金によって形成される。フレーム９は、一対のパネル１０と、ブリッジ１１と、前側補強部１２と、後側補強部１３と、を備える。
【００１８】
一対のパネル１０の一方は、フレーム９の左側面をなす。一対のパネル１０の他方は、フレーム９の右側面をなす。一対のパネル１０の各々は、下端部から上方に立ち上がる。
【００１９】
ブリッジ１１は、フレーム９の上端部をなす。ブリッジ１１は、一対のパネル１０の各々の上端部にわたって取り付けられる。ブリッジ１１の左端は、左側のパネル１０の上端に取り付けられる。ブリッジ１１の右端は、右側のパネル１０の上端に取り付けられる。ブリッジ１１は、一対のパネル１０の各々に例えばボルト止めなどによって分解可能に取り付けられる。ブリッジ１１は、例えば一対の梁１４である。一対の梁１４の一方は、ブリッジ１１の前側の部分である。一対の梁１４の他方は、ブリッジ１１の後側の部分である。
【００２０】
前側補強部１２は、フレーム９の前面に設けられる。前側補強部１２の左端は、左側のパネル１０の前端に接続される。前側補強部１２の右端は、右側のパネル１０の前端に接続される。前側補強部１２は、一対のパネル１０の各々に例えばボルト止めなどによって分解可能に接続される。
【００２１】
後側補強部１３は、フレーム９の後面に設けられる。後側補強部１３の左端は、左側のパネル１０の後端の上部に接続される。後側補強部１３の右端は、右側のパネル１０の後端の上部に接続される。後側補強部１３は、一対のパネル１０の各々に例えばボルト止めなどによって分解可能に接続される。
【００２２】
図３は、実施の形態１に係る運搬装置の上面図である。
【００２３】
ドーリー８は、一対の第１取付け部１５と、一対の第２取付け部１６と、を備える。
【００２４】
一対の第１取付け部１５の各々は、例えばアイボルトである。一対の第１取付け部１５の各々は、フレーム９の前部に設けられる。一対の第１取付け部１５の各々は、前側補強部１２の前面において左右方向に並ぶ。
【００２５】
一対の第２取付け部１６の各々は、例えばアイボルトである。一対の第２取付け部１６の各々は、フレーム９の上端部に設けられる。一対の第２取付け部１６の一方は、前側の梁１４の下面に設けられる。一対の第２取付け部１６の他方は、後側の梁１４の下面に設けられる。
【００２６】
図４は、実施の形態１に係る運搬装置の側面図である。
【００２７】
一対のパネル１０の各々の形状は、例えば側面視で台形状である。一対のパネル１０の各々は、上辺１０ａと、下辺１０ｂと、前辺１０ｃと、後辺１０ｄと、を有する。上辺１０ａは、下辺１０ｂに平行である。下辺１０ｂの長さは、上辺１０ａの長さより長い。下辺１０ｂの後端は、上辺１０ａの後端より後方に配置される。前辺１０ｃの上端は、上辺１０ａと直交するように上辺１０ａの前端に接続される。前辺１０ｃの下端は、下辺１０ｂと直交するように下辺１０ｂの前端に接続される。後辺１０ｄの上端は、上辺１０ａと鈍角で交わるように上辺１０ａの後端に接続される。後辺１０ｄの下端は、下辺１０ｂと鋭角で交わるように下辺１０ｂの後端に接続される。
【００２８】
一対のパネル１０の各々は、例えば前後方向において複数のサブパネルに分割可能であってもよい。複数のサブパネルは、例えばボルト止めによって分解可能に接続される。
【００２９】
フレーム９は、一対のローラーユニット１７を備える。
【００３０】
一対のローラーユニット１７の一方は、左側のパネル１０の下端部に設けられる。一対のローラーユニット１７の他方は、右側のパネル１０の下端部に設けられる。左側のローラーユニット１７は、左側のパネル１０の下辺１０ｂに設けられる。右側のローラーユニット１７は、右側のパネル１０の下辺１０ｂに設けられる。一対のローラーユニット１７の各々は、一対のローラー１８を備える。
【００３１】
一対のローラー１８の各々は、回転軸を左右方向に向ける。一対のローラー１８の各々は、回転軸のまわりに回転可能に支持される。一対のローラー１８は、前後方向に並ぶ。前側のローラー１８は、下辺１０ｂの前端に設けられる。後側のローラー１８は、下辺１０ｂの後端に設けられる。
【００３２】
ドーリー８は、複数のガイド部１９を備える。
【００３３】
複数のガイド部１９の各々は、上下方向に延びる部材である。複数のガイド部１９の各々は、上下方向に延びる長孔２０を有する。複数のガイド部１９の各々は、例えば長孔２０を通すボルト止めによって、一対のパネル１０のいずれかの側面に取り付けられる。複数のガイド部１９の各々の上下方向の位置は、長孔２０によって調整される。複数のガイド部１９の各々は、フレーム９が備える複数のローラー１８の各々に隣接して設けられる。複数のガイド部１９の各々の下端は、隣接しているローラー１８の下端より下方に配置される。
【００３４】
この例において、ドーリー８は、４つのガイド部１９を備える。４つのガイド部１９の各々は、一対のパネル１０のいずれかの側面に設けられる。この例において、４つのガイド部１９のうちの２つは、左側のパネル１０の下辺１０ｂの左側面に設けられる。４つのガイド部１９のうちの他の２つは、右側のパネル１０の下辺１０ｂの右側面に設けられる。左側のパネル１０において、２つのガイド部１９の一方は、前側のローラー１８の後方に隣接して設けられる。左側のパネル１０において、２つのガイド部１９の他方は、後側のローラー１８の前方に隣接して設けられる。同様に、右側のパネル１０において、２つのガイド部１９の一方は、前側のローラー１８の後方に隣接して設けられる。右側のパネル１０において、２つのガイド部１９の他方は、後側のローラー１８の前方に隣接して設けられる。
【００３５】
一対の第１取付け部１５の各々は、フレーム９の下部に設けられる。
【００３６】
図５は、実施の形態１に係る運搬装置の背面図である。
【００３７】
左側のローラーユニット１７の一対のローラー１８の各々は、左側のパネル１０の左側面より右側に設けられる。右側のローラーユニット１７の一対のローラー１８の各々は、右側のパネル１０の右側面より左側に設けられる。
【００３８】
フレーム９の後面の形状は、下方に向けて開く形状である。フレーム９は、下方に向けて開く開口を有する。フレーム９は、後方に向けて開く開口を有する。フレーム９において、下方に向けて開く開口と後方に向けて開く開口とは、連続する。
【００３９】
図６は、実施の形態１に係るエスカレーターの主枠の要部拡大図である。
【００４０】
運搬装置７は、一対のスロープ２１を備える。
【００４１】
一対のスロープ２１の一方は、左側の側枠４の上面に設けられる。一対のスロープ２１の他方は、右側の側枠４の上面に設けられる。一対のスロープ２１の各々は、当該スロープ２１が設けられる側枠４の上面から突出する干渉物２２を前後方向にまたぐ。干渉物２２は、たとえば側枠４の上面における溶接跡、またはネジ、もしくはボルトその他の部品などである。一対のスロープ２１の各々は、下側水平部２ｂから傾斜部３にかけて配置される。この例において、一対のスロープ２１の各々の傾斜は、傾斜部３の傾斜を超えない。
【００４２】
続いて、図７から図９を用いて、運搬装置７による運搬の例を説明する。
図７から図９は、実施の形態１に係るエスカレーターの主枠の側面図である。
【００４３】
この例において、作業員は、更新される機器を設置位置６に設置する。当該機器は、例えば駆動ユニットである。当該機器は、下階から設置位置６まで運ばれる。
【００４４】
まず、図７に示されるように、作業員は、下階においてドーリー８を例えば次のように組み立てる。作業員は、一対のパネル１０の各々にローラーユニット１７を取り付ける。作業員は、前側補強部１２に一対の第１取付け部１５を取り付ける。作業員は、一対の梁１４の各々に第２取付け部１６を取り付ける。作業員は、一対のパネル１０の間にわたってブリッジ１１、前側補強部１２および後側補強部１３を取り付ける。作業員は、一対のパネル１０の各々の側面にガイド部１９を取り付ける。
【００４５】
作業員は、一対のスロープ２１の各々を、一対の側枠４の各々の上面に取り付ける。
【００４６】
作業員は、引上げ装置２３をドーリー８に取り付ける。引上げ装置２３は、例えばチェーンブロック、またはレバーホイストなどである。この例において、２つの引上げ装置２３が用いられる。作業員は、２つの引上げ装置２３の一方を前側の第２取付け具に取り付ける。作業員は、２つの引上げ装置２３の他方を後側の第２取付け具に取り付ける。引上げ装置２３は、例えばフックをアイボルトである第２取付け具に掛けることなどによって取り付けられる。
【００４７】
作業員は、下階において運搬物２４の上方にドーリー８を配置させる。運搬物２４は、例えば更新される機器である。作業員は、２つの引上げ装置２３の各々を運搬物２４の上部の前後に取り付ける。作業員は、引上げ装置２３によって運搬物２４を床面から引き上げる。運搬物２４は、フレーム９の下方に向けて開く開口からフレーム９の内部に収納される。
【００４８】
作業員は、上側水平部２ａに牽引装置２５を配置する。牽引装置２５は、例えば電動ウィンチである。牽引装置２５のロープは、一対の取付け具の各々に取り付けられる。牽引装置２５のロープは、例えばアイボルトである第１取付け具に掛けることなどによって取り付けられる。
【００４９】
次に、図８に示されるように、ドーリー８は、牽引装置２５によって上方に牽引される。
【００５０】
フレーム９が備える複数のローラー１８の各々は、一対の側枠４のいずれかの上面に接触する。複数のローラー１８の各々は、回転しながら側枠４の上面に沿って走行する。
【００５１】
ドーリー８は、下階から主枠１の上を移動する。このとき、一対のパネル１０の各々の下辺１０ｂは、一対の側枠４の各々の上面に対向している。フレーム９は、一対の側枠４の各々の上面から上方に立ち上がっている。フレーム９は、主枠１の左右方向の中心部をまたいでいる。運搬物２４は、主枠１の左右方向の中心部より上方において、フレーム９の内部に収納されている。ドーリー８は、フレーム９の内部に収納している運搬物２４とともに、主枠１の上面に沿って移動する。
【００５２】
複数のガイド部１９の各々の上下方向の位置は、当該ガイド部１９に隣接しているローラー１８が接触する側枠４の側面に下端部が沿うように、長孔２０によって調整される。複数のガイド部１９の各々は、ドーリー８の動きが左右方向にずれないように案内する。複数のガイド部１９の各々は、隣接しているローラー１８が側枠４の上面から外れないように案内する。
【００５３】
ドーリー８は、下側水平部２ｂから傾斜部３に差し掛かるときに、スロープ２１を乗り越える。スロープ２１の傾斜は傾斜部３の傾斜を超えないので、ドーリー８は傾斜部３まで滑らかに移動する。ドーリー８は、傾斜部３において傾いた状態で移動する。このとき、運搬物２４は、ドーリー８の傾きによって後方に移動する。
【００５４】
次に、図９に示されるように、ドーリー８は、牽引装置２５によってさらに上方に牽引される。
【００５５】
作業員は、牽引装置２５によってドーリー８を設置位置６まで移動させる。作業員は、設置位置６の情報においてドーリー８を停止させる。このとき、作業員は、安全ブロックによってドーリー８を主枠１に留めてもよい。
【００５６】
作業員は、引上げ装置２３によって運搬物２４を設置位置６まで降ろす。運搬物２４は、フレーム９の下方に向けて開く開口から下方に下ろされる。運搬物２４は、フレーム９の下端部より上方であるフレーム９の内部からフレーム９の下端部より下方の設置位置６まで、引き上げ装置によって降ろされる。作業員は、更新される機器である運搬物２４を設置位置６に設置する。
【００５７】
作業員は、ドーリー８を下階または上階に移動させる。作業員は、下階または上階において、ドーリー８を分解する。作業員は、一対のスロープ２１の各々を主枠１の上面から取り除く。
【００５８】
なお、作業員は、上述の手順と同様の手順によって、更新される機器を上階から設置位置６まで運搬してもよい。
【００５９】
また、作業員は、上述の手順と逆の手順によって既設の機器を設置位置６から撤去してもよい。このとき、運搬物は、既設の機器である。引上げ装置２３は、フレーム９の下端部より下方から運搬物２４を引き上げる。引上げ装置２３は、フレーム９の下端部より上方まで運搬物２４を引上げる。引き上げられた運搬物２４は、フレーム９の内部に収納される。
【００６０】
以上に説明したように、実施の形態１に係る運搬装置７は、フレーム９と、第１取付け部１５と、第２取付け部１６と、を備える。フレーム９は、エスカレーターの主枠１の一対の側枠４の各々の上面に下端部が接触する。フレーム９は、一対の側枠４の各々の上面から上方に立ち上がる。フレーム９は、主枠１の左右方向の中心部をまたぐ。第１取付け部１５は、フレーム９の前部に設けられる。第１取付け部１５は、牽引装置２５が取り付けられる部分である。牽引装置２５は、フレーム９を主枠１の上部から主枠１の上面に沿って牽引する。第２取付け部１６は、フレーム９の上端部に設けられる。第２取付け部１６は、引上げ装置２３が取り付けられる部分である。引上げ装置２３は、フレーム９の下端部より下方から運搬物２４を引き上げる。
【００６１】
作業員は、第２取付け部１６に取り付けられた引上げ装置２３によって運搬物２４を引き上げることができる。引き上げられた運搬物２４は、フレーム９の内部に収納される。フレーム９は、第１取付け部１５に取り付けられた牽引装置２５によって主枠１の上面に沿って牽引される。フレーム９は、収納された運搬物２４とともに移動する。作業員は、第２取付け部１６に取り付けられた引上げ装置２３によって運搬物２４を下ろすことができる。このように、作業員は、フレーム９とともに移動する引上げ装置２３によって運搬物２４の上げ下ろしを容易に行うことができる。このため、運搬物２４が主枠１の傾斜部３に設けられる機器である場合にも、当該運搬物２４は運搬装置７によって運搬しやすくなる。また、引上げ装置２３は、運搬装置７とともに移動する。このため、作業員は、傾斜部３において運搬装置７に取り付けられた引上げ装置２３を利用できる。これにより、傾斜部３において運搬物２４の上げ下ろしのための装置を別途設ける必要がない。また、別途装置を設ける作業のための足場などを必要としない。また、運搬装置７は、引上げ装置２３で引き上げられた運搬物２４を運搬する。このため、運搬物２４が主枠１の幅に比べて細い場合であっても、運搬物２４の幅を主枠１の幅に合わせる冶具などを別途必要としない。
【００６２】
また、フレーム９は、一対のパネル１０と、ブリッジ１１と、を備える。一対のパネル１０の各々の下端部は、一対の側枠４の各々の上面に接触する。ブリッジ１１は、第２取付け部１６が設けられる部分である。ブリッジ１１は、一対のパネル１０の各々の上端部にわたって分解可能に取り付けられる。
【００６３】
運搬装置７は、フレーム９の分解によって作業場所に搬入しやすくなる。
【００６４】
また、一対のパネル１０の各々は、下辺１０ｂと、上辺１０ａと、を有する。下辺１０ｂは、一対の側枠４のいずれかの上面に対向する。上辺１０ａは、下辺１０ｂより短い。上辺１０ａは、ブリッジ１１が取り付けられる部分である。
【００６５】
上辺１０ａの長さが下辺１０ｂの長さより短いため、フレーム９の製造に必要な材料の総量が抑制される。このため、フレーム９が軽量になる。また、下辺１０ｂの長さが上辺１０ａの長さより長いため、フレーム９の安定性が高まる。
【００６６】
また、一対のパネル１０の各々について、下辺１０ｂの後端は、上辺１０ａの後端より後方に配置される。
【００６７】
下辺１０ｂが接地する位置は、上辺１０ａの後端より後部に至る。ここで、フレーム９は、傾斜部３において後方に傾く。このため、傾斜部３におけるフレーム９の安定性が高まる。
【００６８】
また、第１取付け部１５は、フレーム９の下部に設けられる。
【００６９】
フレーム９は、牽引装置２５によって下部を牽引される。このため、牽引によってフレーム９が前方に傾いて転倒しにくい。
【００７０】
また、フレーム９は、一対のローラーユニット１７を備える。一対のローラーユニット１７の各々は、フレーム９の左右の各々の下端部に設けられる。一対のローラーユニット１７の各々は、一対の側枠４のいずれかの上面に接触する。一対のローラーユニット１７の各々は、一対のローラー１８を備える。一対のローラー１８の各々の回転軸は、左右方向に向けられる。一対のローラー１８は、前後方向に並ぶ。
【００７１】
フレーム９は、一対の側枠４の上面において、ローラーユニット１７によって滑らかに移動する。一対の側枠４の上面は、前後方向に延びる。フレーム９は、前後方向に並ぶ一対のローラー１８によって主枠１に接地する。これにより、一対のローラー１８の間において、パネル１０の下辺１０ｂと側枠４の上面との間に隙間が形成される。このため、側枠４の上面が上に凸であるように折れ曲がる主枠１の上端部においても、パネル１０の下辺１０ｂは側枠４の上面に干渉しにくい。このため、フレーム９は、側枠４の上を滑らかに移動できる。
【００７２】
また、運搬装置７は、ガイド部１９を備える。ガイド部１９は、フレーム９の下端部の側面において一対のローラー１８のいずれかに隣接して設けられる。ガイド部１９は、当該ローラー１８の下端部より下方に延びる。ガイド部１９は、一対の側枠４のうち当該ローラー１８が接触している側枠４の側面に沿う。
【００７３】
ガイド部１９は、隣接するローラー１８を側枠４の上面に沿って案内する。このため、ローラー１８の側枠４の上面からの脱落が抑制される。
【００７４】
また、運搬装置７は、一対のスロープ２１を備える。一対のスロープ２１の各々は、一対の側枠４の各々の上面に設けられる。一対のスロープ２１の各々は、当該上面において上方に突出する干渉物２２を前後方向にまたぐ。
【００７５】
一対のスロープ２１の上を移動するので、フレーム９は干渉物２２の影響を受けずに移動できる。
【００７６】
また、一対のスロープ２１の各々は、主枠１の下側水平部２ｂから傾斜部３にかけて配置される。
【００７７】
一対のスロープ２１は、主枠１の下側水平部２ｂから傾斜部３にかけての傾斜の変化を滑らかにできる。このため、フレーム９の移動が滑らかになる。
【００７８】
なお、複数のガイド部１９の各々は、フレーム９の内側の側面に設けられてもよい。例えば側枠４の外側面が壁面に密着している場合、または側枠４の一部が壁面に埋め込まれている場合などにおいても、ガイド部１９によってローラー１８の脱落を予防できる。
【００７９】
また、運搬装置７は、左右方向の長さが異なる複数のブリッジ１１を備えてもよい。作業員は、主枠１の幅に応じて、複数のブリッジ１１のいずれかを選択できる。
【００８０】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００８１】
図１０は、実施の形態２に係る運搬装置の要部拡大図である。
【００８２】
複数のガイド部１９の各々は、例えばピン２６によって一対のパネル１０のいずれかの側面に取り付けられる。ガイド部１９は、ピン２６によって上端を回転可能に支持される。ガイド部１９は、左右方向を回転軸として回転可能に支持されている。
【００８３】
一対の側枠４において、ブラケットなどの構造物が側面の上部に取り付けられることがある。ガイド部１９は、フレーム９の主枠１に沿う移動によって、当該構造物に前後方向から接触することがある。このとき、当該構造物に接触したガイド部１９の下端は、上端の回転軸のまわりに回転する。ガイド部１９は、当該構造物を通過したあとに、自重によって下端部を再び下方に向ける。このように、ガイド部１９は、側枠４の側面の上部に構造物が取り付けられている場合においても、当該構造物を回避しながらドーリー８の動きを案内する。
【００８４】
以上に説明したように、実施の形態２に係る運搬装置７のガイド部１９は、左右方向を向く回転軸を上端部に有する。ガイド部１９は、回転軸の回りに回転可能に支持される。
【００８５】
これにより、側枠４の側面の上部に構造物が取り付けられている場合においても、ガイド部１９によってローラー１８の脱落が予防される。
【産業上の利用可能性】
【００８６】
本発明に係る運搬装置は、エスカレーターの機器の運搬に利用できる。
【符号の説明】
【００８７】
１  主枠、  ２ａ  上側水平部、  ２ｂ  下側水平部、  ３  傾斜部、  ４  側枠、  ５  下枠、  ６  設置位置、  ７  運搬装置、  ８  ドーリー、  ９  フレーム、  １０  パネル、  １０ａ  上辺、  １０ｂ  下辺、  １０ｃ  前辺、  １０ｄ  後辺、  １１  ブリッジ、  １２  前側補強部、  １３  後側補強部、  １４  梁、  １５  第１取付け部、  １６  第２取付け部、  １７  ローラーユニット、  １８  ローラー、  １９  ガイド部、  ２０  長孔、  ２１  スロープ、  ２２  干渉物、  ２３  引上げ装置、  ２４  運搬物、  ２５  牽引装置、  ２６  ピン
【要約】
本発明は、運搬物が主枠の傾斜部に設けられる機器である場合にも運搬しやすいエスカレーターの機器の運搬装置を提供することを目的とする。運搬装置（７）のフレーム（９）は、主枠（１）の一対の側枠（４）の各々の上面に下端部が接触する。フレーム（９）は、一対の側枠（４）の各々の上面から上方に立ち上がる。フレーム（９）は、主枠（１）の左右方向の中心部をまたぐ。運搬装置（７）の第１取付け部（１５）は、フレーム（９）の前部に設けられる。牽引装置（２５）は、第１取付け部（１５）に取り付けられる。牽引装置（２５）は、フレーム（９）を主枠（１）の上部から主枠（１）の上面に沿って牽引する。運搬装置（７）の第２取付け部（１６）は、フレーム（９）の上端部に設けられる。引上げ装置（２３）は、第２取付け部（１６）に取り付けられる。引上げ装置（２３）は、フレーム（９）の下端部より下方から運搬物（２４）を引き上げる。【図１】
0006677353.tif 000002
【図２】
0006677353.tif 000003
【図３】
0006677353.tif 000004
【図４】
0006677353.tif 000005
【図５】
0006677353.tif 000006
【図６】
0006677353.tif 000007
【図７】
0006677353.tif 000008
【図８】
0006677353.tif 000009
【図９】
0006677353.tif 000010
【図１０】
0006677353.tif 000011